Podtech/llm-jp-corpus-v4-ja_patent huggingface dataset:
(57)【要約】      （修正有）【課題】地震、海津波、山津波等で、原子力発電装置を急停止させる際、脱電源、且つ手動も可能な手段で、炉の冷却と、建屋の爆発防止を同時に行う、原子力発電装置を提供する。【解決手段】液体窒素の容器１０に液体窒素１１を入れ、圧力容器２の外周に設けたリング８と液体窒素の容器１０を伝熱棒９、連結棒１６で接続し、炉内の熱を液体窒素の容器１１に伝熱させて冷却するとともに、発生した窒素ガスを弁１３を経由して室４に導き、容器２を冷却する。放射能の危険の無い外部から、固体伝導に依り、放射能を伴わずに建屋外に熱を運び出し、炉を冷やすと同時に、炉の熱を吸収して発生する窒素ガスを建屋内に充満させ、爆発を防止させ、注水に依る汚染蒸気の発生もセーブする。【選択図】図１
2017020998.tif 000002
【特許請求の範囲】
【請求項１】
地震、海津波、山津波等で、原子力発電装置を急停止させる際、液体窒素を使って、脱電源、且つ手動も可能な手段で、炉の冷却と、建屋の爆発防止を同時に行う、原子力発電装置。
【発明の詳細な説明】
【技術分野】
【０００１】本発明は、原子力発電所の緊急時の安全対策に関する。
【背景技術】
【０００２】福島事故の発生から拡大に至る原因の技術分野は、上流の原子物理学では無く、全て下流の機械工学分野で、ＰＬ法が求める、既存の設計例との彼我検定の欠如、冗長対策の薄さから起きて居ます。
【先行技術文献】
【０００３】
【特許文献】
【特許文献】特開  ２０１２−２４２３７５  特願  ２０１３−２０７６８４
【発明の概要】
【発明が解決しようとする課題】
【０００４】上記出願は種々の冗長対策を示して居ますが、所外への放射性物質の拡散と云う最大の被害は建屋の水素爆発に依る物で、其れを防ぐ手段が欠けて居ました。記録に依れば、地震の後、津波の来る前に、原子炉建屋の内側の扉の中は蒸気で真っ白に成って居り、扉の外で線量計が振り切れた事が報じられて居ます。その原因は約７０気圧の掛かる部分に亀裂が生じ、汚染された水素ガスが漏れ出して居る以外には考えられません。従って爆発を防ぐには、窒素ガスを使った窒息消火装置で、水素が酸素に触れない様にする必要が有ります。然も其れを脱電力、人力操作で、放射能を遮断した建屋の外から行う必要が有ります。更に炉内に注水して冷却する事も必要ですが、水は汚染された蒸気に変わるので、其の排気処理が必要です。従って炉から固体伝導で、汚染を伴わずに、無動力で熱だけを運び出す冗長手段が必要です。【０００５】緊急炉心冷却装置が必要と成る事故の発生確率は極めて低いので、機械的摺動部が無く、従って定期点検整備の必要が殆ど無く、操作訓練も殆ど必要としない「フォアゲッティー」な構造にする事が望まれます。
【課題を解決するための手段】
【０００６】  本発明は、此の為、液体窒素を使って、放射能の危険の無い外部から、固体伝導に依り、放射能を伴わずに建屋外に熱を運び出し、炉を冷やすと同時に、炉の熱を吸収して発生する窒素ガスを建屋内に充満させ、爆発を防止させ、注水に依る汚染蒸気の発生もセーブします。
【発明の効果】
【０００７】  本発明の原子力発電設備は、上述の如く構成した為、事故時の緊急冷却装置として、他のシステムとの冗長手段として必須なものです。
【図面の簡単な説明】
【０００８】
【図１】本発明の実施例を示す。
【発明を実施するための形態】
【０００９】本発明の実施の形態を、図面に基づいて説明する。図１の１は炉心、２は圧力容器、３は冷却水、４は放射能を遮る建屋、５は、本システム全体を包含し、津波や、津波に依る瓦礫の衝突に耐える強度を有し、地震の際は、一体で揺れる様に、基礎６の上に防振ゴムは７で支持されて居る。
【００１０】８は炉２に巻き付けたリングで、昔の炉はタガ張り応力の溶接構造で有ったが、溶接部の破損に対して危険な為、現在は此の様なリングを嵌めて、応力を「曲げモーメント」で受ける事が求められて居る。伝熱棒９は、圧力容器２に直接結合する場合も有るが、リング８を介する事で、熱応力を緩和し、更にリング８の９に結合する部分を肉厚にする様、外径を偏心させる事に依り、熱が２の円周上に均等に回る様にする場合も有る。
【００１１】１０は液体窒素の容器で、緊急時に液体窒素１１を入れ、圧力蓋１２を閉じ、４室に通じる管の弁１３を開ける。１４は圧力封板装置で、圧力蓋１２を閉じた後、弁１３を開け忘れた場合には封板が破れる様にする。
此の際、容器１０に接合した棒１５の温度は約マイナス１９６度Ｃ程度と成る。一方９側は約２２０度で有るから、連結棒１６をボルト１７と１８で結合すれば、炉内の熱は、液体窒素に流れ、冷たい窒素ガスと成って、弁１３を通って４内に入り、容器２を冷やす。此の際、熱は放射能を遮る室４の外に出るが、放射能は付いて行かない。棒９は必要に応じて放射状や上下方向に多数設ける場合も有る。其の場合にはリング８の内外径の偏心は必ずしも必要ない。
【００１２】液体窒素が必要な場面では、地震や津波の瓦礫で道路交通が麻痺して居る事が容易に想定されるので、高速水平飛行可能なハイブリッド輸送機「オスプレー」等を使って、全国から集めて、建屋５の屋上に降ろす。降ろし方は、津波来襲中は屋上に着陸して降ろすが、地震や余震が激しい場合には、容器を防振バッグに入れ、上空にホバリングして降ろす場合も有る。又「オスプレー」は軍用機として敵中に強行着陸し、後部ケートを開いて、兵員や機材を急速搬出し、ゲートを開けたまま離陸する事も可能な設計に成って居るので、液体窒素も小型トラックに積んで、地震の合間を見て、ゲートを開けた状態で強行着陸し、急速搬出する場合も有り得る。
【００１３】冷たい窒素ガスに押された水素ガスは、上方に溜り、弁１９を通り、フィルター２０で濾過し、弁２１を介して、燃料電池車等に供給する場合も有る。
【００１４】２２は上記特許文献に示した高圧スプリンクラーで、緊急時は多数のロケットエンジン２３で加圧し、一方弁２４依り炉２内に高圧給水して、炉を冷やす。蒸発した蒸気は、ベント弁２５、フィルター２６を介して大気に放出される。原発の有る海浜では、一日の内に山風と海風が交代するので、海に向かって風が吹く「山風」に乗せて放出する。
【００１５】クールダウンが進めば容器１０内には通常の水や、冷却した水を入れる場合も有る。更にクールダウンが進めば、破線で示す連接棒２７を介して海水２８に浸したフィン２９に流す場合も有る。此の際、発熱は自動車程度に下がっても、冷却を止めれば、温度が上がって活性化する場合も有るので、永年に渡って無動力で冷却する機構は必要で有る。
【符号の説明】
【００１６】１・・・炉心、２・・・圧力容器、４・・・放射能を遮る建屋、
５・・・外側の建屋、９・・・伝熱棒、１０・・・液体窒素の容器
１４・・・圧力封板装置、１６、２７・・・連結棒、２０、２６・・・フィルター
２２・・・高圧スプリンクラー、２３・・・ロケットエンジン、２８・・・海水
【図１】
2017020998.tif 000003
(57)【要約】【課題】水漏れや雨漏り等の建物の液体漏れ検知や位置の特定は、検査のために建物の天井をはがしたりと建物自体に手を加えなければならないことも多く、また建物に直接赴く必要もあるために、特定までに時間と手間がかかっていた。本発明は、建物に赴かなくても遠隔から確実に手早く液体の漏れを検知、特定するシステムを低コストで実現する方法を提供する。【解決手段】吸水性の粘着シートに湿度センサーを組み込んだ定期的に無線通信を行う液体漏れ検知装置を建物に設置し、湿度データ等をインターネットを介して可視化することで、水漏れや雨漏り等の建物の液体漏れを遠隔から検知・液体漏れの位置を特定できるようにする。【選択図】図１
2017020955.tif 000002
【特許請求の範囲】
【請求項１】
吸水性の粘着シートに湿度センサーを組み込み、粘着シートの湿度データを定期的に無線で送信することを特徴とする吸水性のあるシートを携えた液体漏れ検知装置。
【請求項２】
前記請求項１の検知装置から、無線を介して定期的に湿度データをインターネット上のサーバに送信することで、設置した建物に手を加えずに液体漏れ検知、液体漏れの位置が特定できる特徴を持つ、吸水性のあるシートを携えた検知装置を使用した建物に関する液体漏れ検知システム。
【請求項３】
前記請求項１の検知装置から、無線を介して定期的に湿度データをインターネット上のサーバに送信することで、建物に関する液体漏れ検知、液体漏れ位置の特定が遠隔地から行える特徴を持つ、液体漏れ検知システム。
【請求項４】
前記請求項１の検知装置から、無線を介して定期的に湿度データをインターネット上のサーバに送信し、前記請求項３の遠隔地から液体の漏れ検知、液体の漏れ位置の特定が行えることで、複数の建物の液体漏れ検知、液体漏れ位置の特定が１か所、または複数箇所で行える液体漏れ検知システム。
【発明の詳細な説明】
【技術分野】
【０００１】
インターネットを使用し、建物に関する水漏れ、雨漏り等の液体の漏れを検知、液体の漏れている箇所の特定を行い、状況の可視化をし、しかも低コストで実現するためのシステムである。
【背景技術】
【０００２】
従来は、水漏れ、雨漏り等の建物に関する液体の漏れ検知、液体の漏れ位置の特定を行うために、液体の漏れ検知装置自身がデータを定期的に送信し、リアルタイムに近い形で可視化できるシステムはなかった。
【発明の概要】
【発明が解決しようとする課題】
【０００３】
建物の水漏れや雨漏りの液体漏れは、一度おきると被害が大きいが、例えば水漏れ検査のために建物の天井をはがしたりと、建物自体に手を加えなければ目視や検査が不可能な場合も多く容易ではないためにコストもかかっている。また従来、気付かないうちに液漏れが発生していることもあり、検知するまでに時間がかかることも多く、液漏れが分かってからも、液漏れ位置の特定のために建物に直接赴く必要があったため、液漏れ位置の特定に手間と時間がかかっていた。本発明は、この課題を解決するためになされたものである。
【課題を解決するための手段】
【０００４】
湿度センサー２を組み込んだ吸水性の粘着シート３に、無線通信機能付き小型コンピュータ４を接続し、液体がシートに吸水することで変化する湿度を定期的に測定する、液体漏れ検知装置１を構成する。無線通信機能付き小型コンピュータ４には一般家庭用電源、太陽光発電等の永続的な電源から電力を供給するか、無線通信機能付き小型コンピュータ４を操作し易い場所に設置し、モバイルバッテリー等から電力を供給するか、無線にて電力を供給する。
【０００５】
液体漏れ検知装置１を建物の柱６や配管５などの建物内の特定の場所に設置することで、液体漏れ検知装置１が定期的に設置箇所の湿度を測定し、無線通信機能付き小型コンピュータ４から無線により、どの場所に設置したかを識別可能なよう、それぞれの無線通信機能付き小型コンピュータ４固有のIDと共に、無線モデム７または公衆電話網１２へ湿度データを定期的に送信する。
【０００６】
液体漏れ検知装置１からの湿度データは、無線モデム７または公衆電話網１２を介してインターネット８に定期的に送信され、インターネットを介してデータ処理サーバ９に送信される。
【０００７】
液体漏れ検知装置１からデータ処理サーバ９に送信された湿度データは逐次保存され、Webブラウザ１０やスマートフォン等のアプリケーション１１から可視化できるよう、データ処理サーバ９上でデータ処理を行うか、Webブラウザ１０やアプリケーション１１上で可視化できるようデータ処理を行う。
【発明の効果】
【０００８】
液体漏れ検知装置１を建物に設置することで、液漏れ検査ために建物に手を加えずに水漏れや雨漏りをリアルタイムに近い形で検知し、位置を特定できる。
【０００９】
液漏れ検知のために目視する必要がなく、また、液漏れ検知のデータが定期的にデータ処理サーバ９に送信されるため、液体漏れ検知対象の建物１３に赴くことなく遠隔で液体漏れ検知、液体漏れ位置の特定が行える。
また、複数の液体漏れ検知対象の建物１３の湿度データをデータ処理サーバ９へ送信することで、複数箇所の液体漏れ検知対象の建物１３の液体漏れの検知、液体漏れの位置の特定を一度に行える。
【図面の簡単な説明】
【００１０】
【図１】建物に関するインターネットを用いた液体漏れ検知システムの構成図
【図２】液体漏れ検知装置の構成図
【符号の説明】
【００１１】
１  液体漏れ検知装置
２  湿度センサー
３  吸水性の粘着シート
４  無線通信機能付き小型コンピュータ
５  建物の構成要素（配管など）
６  建物の構成要素（柱など）
７  インターネットに接続している無線モデム
８  インターネット網
９  データ処理サーバ
１０  Webブラウザ
１１  パソコン、スマートフォン等のアプリケーション
１２  公衆電話網
【図１】
2017020955.tif 000003
【図２】
2017020955.tif 000004
(57)【要約】【課題】音色をバラエティー豊かにするためにエレキギターのダブルハムバッキングピックアップを提供する【解決手段】シングルサイズのハムバッキングピックアップを２個組み合わせることを特微とする。【選択図】図１
2017045071.tif 000002
【特許請求の範囲】
【請求項１】
ハムバッキングピックアップサイズでシングルサイズのハムバッキングピックアップを２個組み合わせたダブルハムバッキングピックアップ
【発明の詳細な説明】
【技術分野】
【０００１】この発明はエレキギターのダブルハムバッキングピックアップに関するものである。
【背景技術】
【０００２】従来、ピックアップはシングルコイルやハムバッキングが主流であった。
【先行技術文献】
【０００３】
【特許文献１】
【非特許文献１】
【発明の概要】
【発明が解決しようとする課題】
【０００４】これは次のような欠点があった
（イ）ピックアップの音色に限りがあった。
本発明は以上のような欠点をなくすためになされたものである
【課題を解決するための手段】
【０００５】ピックアップを４個のコイルに分けなければならない
本発明は、以上の構成によりなるエレキギターのダブルハムバッキングピックアップである
【発明の効果】
【０００６】（イ）バラエティー豊かに音色を作りだせるようになる。
【図面の簡単な説明】
【０００７】
【図１】本発明の見取り図である
【発明を実施するための形態】
【０００８】以下、本発明を実施するための最良の形態について説明する
ハムバッキングピックアップのサイズに（１）バーポールピースが２個組み合わせた（２）シングルサイズのハムバッキングピックアップを２個組み合わせる
本発明は、以上のような構造である
【符号の説明】
【０００９】１  バーポールピース
２  シングルサイズのハムバッキングピックアップ
【図１】
2017045071.tif 000003
(57)【要約】      （修正有）【課題】不法侵入者が金品を強奪、又は剥奪し逃走しようとした際、犯人の衣服等に塗料を付着させる、圧縮空気による特殊塗料入りカプセル発射装置を提供する。【解決手段】犯人が逃走時、従業員等が非常用スイッチ、もしくは電磁弁開閉スイッチ７を押す事で、自動ドアー開閉スイッチ８と連動し、犯人が自動ドアー１に接近した瞬間に、ドアー開閉スイッチ８と連動された特殊塗料入りカプセル発射装置が、自動ドアー近辺に設置された数か所の噴射ノズル６から特殊塗料入りカプセルを数秒間噴射する。犯人に命中、その際に噴射されたカプセルが破裂して特殊塗料が犯人の衣服や、毛髪、履物等に付着する。店外に昼夜問わず認識可能な黄色の回転灯や、警報装置を併設する。【選択図】図１
2017045433.tif 000002
【特許請求の範囲】
【請求項１】
特殊塗料入りカプセルを、圧縮空気により噴射することを特徴とする特殊塗料入りカプセル発射装置。
【請求項２】
圧縮空気の供給を電磁弁の開閉により操作することを特徴とする請求項１に記載の特殊塗料入りカプセル発射装置。
【請求項３】
供給配管の先端に、噴射ノズルを備えることを特徴とする請求項１、請求項２に記載の特殊塗料入りカプセル発射装置。
【請求項４】
電磁弁の開閉を、非常用スイッチ、自動ドアー開閉スイッチ、監視カメラと連動して作動させることを特徴する請求項２に記載の特殊塗料入りカプセル発射装置。手動でも操作できるものとする。
【発明の詳細な説明】
【技術分野】
【０００１】  この装置は、圧縮空気を利用して、特殊塗料入りのカプセルを発射して、標的に確実に塗布、付着させるための装置である。また、特殊塗料入りカプセルは、圧縮空気で噴射可能な数ミリサイズ（８ミリ以下）のものを使用する。
【背景技術】
【０００２】  近年、コンビニ店や、郵便局などの金融機関が、刃物等を持った不法侵入者に襲われる事件が多発、いまだに犯人が捕まっていない案件が多い。これらの事件を早期に犯人逮捕につなげるために開発したものである。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  不法侵入者が金品を強奪、又は剥奪し逃走しようとした際、従来はカラーボールを犯人めがけて投げて、犯人の衣服等に塗料を付着させて、これを証拠に犯人を検挙につなげるものですが、野球経験者でも逃走犯に命中させることが難しいのに、金融機関の職員、コンビニの従業員等には絶対に等しい程不可能と思われる。
【課題を解決するための手段】
【０００６】  これらを解決するために、非常用スイッチ、電磁弁開閉スイッチを押すことにより、不法侵入者が逃走を図ろうと自動ドアーに近づき、自動ドアー開閉スイッチが作動、自動ドアーが開く瞬間に電磁弁が開き、圧縮空気により、特殊塗料入りのカプセルを、ドアー両横の数ヶ所のノズルから特殊塗料入りカプセルを噴射、不法侵入者に確実に命中させることが出来ものである。
【発明の効果】
【０００７】  特殊塗料入りのカプセルが、不法侵入者に命中し、カプセルが破裂、不法侵入者の衣服や、毛髪、履物等、数か所に付着するため、たとえ、衣服を着替えても、塗料の匂いなど消えないので、犯人捜査に威力を発揮するものである。
【図面の簡単な説明】
【０００８】
【図１】  自動ドアー（１）の両横に電磁弁（４）、特殊塗料入りカプセル収納容器（５）、噴射ノズル（６）等の一体の装置を数ヶ所設置、これらを圧縮ポンプ、圧縮タンク（２）一体の装置から配管（３）により連結され、非常用スイッチ、電磁弁開閉スイッチ（７）を押すことにより電磁弁（４）、特殊塗料入りカプセル収納容器の弁にも同時に通電されて弁が開き、圧縮空気と特殊塗料入りカプセル（５）が共に噴射ノズル（６）より噴射され、目標物に確実に付着と同時にカプセルが破裂して、衣服等に浸透し、より効果的に付着面積を広げてより確実な証拠を得られるものである。これらの一連の作用は、電気配線によって連結され、自動ドアー開閉スイッチ（８）や、監視カメラ（９）などと連動して作動するものである。また、手動でも操作できるものとする。
【発明を実施するための形態】
【０００９】
【実施例】
【００１０】
【産業上の利用可能性】
【００１１】
【符号の説明】
【００１２】（１）    自動ドアー
（２）    空気圧縮ポンプ、圧縮タンク
（３）    圧縮空気供給配管
（４）    電磁弁
（５）    特殊塗料入りカプセル収納容器
（６）    噴射ノズル
（７）    非常用スイッチ、電磁弁開閉スイッチ
（８）    自動ドアー開閉スイッチ
（９）    監視カメラ
（１０）  電気配線
【図１】
2017045433.tif 000003
【図２】
2017045433.tif 000004
【手続補正書】
【提出日】平成27年11月6日(2015.11.6)
【手続補正１】
【補正対象書類名】明細書
【補正対象項目名】０００８
【補正方法】変更
【補正の内容】
【０００８】
【図１】  圧縮空気による特殊塗料入りカプセル発射装置を表す立面図である。
【図２】  圧縮空気による特殊塗料入りカプセル発射装置を作動させた時を表す模式図である。犯人の逃走時、監視カメラ（９）、ドアー開閉スイッチ（８）等が連動して、複数の特殊塗料入りカプセル発射装置が作動して、圧縮空気により、特殊塗料入りカプセルを噴射ノズル（６）より噴射、犯人に特殊塗料を付着させる模式図である。
(57)【要約】      （修正有）【課題】郊外電車の通勤時間帯以外の乗客を増やし経営を改善する。【解決手段】郊外電車の大都市駅より少し離れた駅近くに無料社交ダンス場を作る。【選択図】なし【特許請求の範囲】
【請求項１】
大都市に有る電鉄駅より少し離れた所に有る別の駅の近くに無料の社交ダンスパーティー場を設ける事
【発明の詳細な説明】
【発明の詳細な説明】
【技術分野】  郊外電車の運賃収入に係るものである
【背景技術】  郊外電車の乗客は通勤時間以外に少なくなるのが通常である
【発明が解決しょうとする課題】
電車の乗客を増やす事にある
【発明の開示】
当発明は都市駅より少し離れた別の駅近くに社交ダンス場を作る事である
【課題を解決しょうとする手段】
出来るだけ安価な費用で社交ダンス場を作る事である
【発明の効果】
通勤時間帯以外に乗客が増加する
（発明を実施する最良の形態）
都市部を少し離れた駅近くに無料社交ダンス場を作る事
【実施例】  京阪電鉄の一実施例を挙げると大阪市の淀屋橋駅より少し離れた枚方パーク場に無料社交ダンス場を設ける事である
【産業上の利用の可能性】
電車の乗客を非常に安価な費用で増やす事が出来る
【図面の簡単な説明】  図面は郊外電車の一例を挙げたもので（１）は大都市駅  （２）電車  （３）は京阪枚方パーク駅を示し（４）は無料社交ダンス場を示す
2017162427.tif 000002
(57)【要約】      （修正有）【課題】患者がカタログを見て、本を選び注文できるブック・ケアサービスを提供する。【解決手段】入院患者がカタログなどで本を選ぶ。それを通販サイトに注文し、手数料を受け取る。本は、病院に発送され、患者が代金を払い、本を受け取る。【選択図】なし【特許請求の範囲】
【請求項１】
入院患者と本の通販サイトとの仲介。
【発明の詳細な説明】
【技術分野】
【０００１】  この発明は、主に精神病院で患者が過ごす時間を有意義にするブック・ケアサービスである。
【背景技術】
【０００２】  従来、病院には、テレビが共同になっていたり、本が売っていない病院がほとんどだった。
【先行技術文献】
【特許文献】
【０００３】
【特許文献１】
【発明の概要】
【発明が解決しようとする課題】
【０００４】  これは、次のような問題があった。
従来、主に精神病院は、あまり自由にテレビが見れない。本を病院の売店で買えなかった。なので、病院生活は、苦痛な事が多かった。
本発明は、以上のような問題をなくすためになされたものである。
【課題を解決するための手段】
【０００５】  患者と通販サイトを仲介して、本を患者に届ける。
本発明は、以上の構成からなるブック・ケアサービスである。
【発明の効果】
【０００６】  退屈な入院生活を充実するものとし、健康な心の状態で過ごせる。
【発明を実施するための形態】
【０００７】    以下、本発明を実施するための形態について説明する。
入院患者がカタログなどで本を選ぶ。それを通販サイトに注文し、手数料を受け取る。本は、病院に発送され、患者が代金を払い、本を受け取る。
(57)【要約】【課題】旅行の計画をする時間が無い人のためにニーズにあった旅行計画を素早く提案し、ナビゲーションを開始する。またどこに旅行したいかわからない人にすでに登録されている行き先情報を提案する。【解決手段】登録された顧客情報を基に、顧客の趣向に合う行き先を行き先情報の中から選び出し、複数の旅行計画にしてアプリケーション上で表示して提案する。また顧客が様々なニーズに合う旅行計画を選択できるよう、顧客が選択した系統に属する旅行計画、顧客がアプリケーション上に打ち込んだキーワードに関連する旅行計画、顧客が指定した交通手段及び人数、金額、宿泊日数の範囲の旅行計画、チェーン店を除く旅行計画、などを検索できるようにする。顧客が選択した旅行計画をアプリケーション上でナビゲーションする。【選択図】図１
2017162428.tif 000002
【特許請求の範囲】
【請求項１】
データベースに登録された顧客の趣向に基づき、登録された行き先情報の中から顧客の趣向に合う行き先のみを選び出し、旅行計画にして顧客に提案し、顧客が選択できるようにするアプリケーション。
【請求項２】
顧客が打ち込んだキーワードと関連のある行き先のみを、登録された行き先情報の中から選び出し、旅行計画にして顧客に提案し、顧客が選択できるようにするアプリケーション。
【請求項３】
顧客が選んだ行き先の系統に合う行き先のみを、登録された行き先情報の中から選び出し、旅行計画にして顧客に提案し、顧客が選択できるようにするアプリケーション。
【請求項４】
顧客が指定した範囲の交通手段及び人数、金額、宿泊日数にあてはまる行き先のみを、登録された行き先情報の中から選び出し、旅行計画にして顧客に提案し、顧客が選択できるようにするアプリケーション。
【請求項５】
顧客が選択した旅行計画のみをアプリケーション上でナビゲーションし、顧客が旅行計画を遂行できるようにするアプリケーション。
【発明の詳細な説明】
【技術分野】
【０００１】  この発明は、旅行計画に用いるアプリケーションプログラムに関する。
【背景技術】
【００００２】  従来のナビゲーションシステムは、利用者が自ら設定した場所へ到達するためのシステムである。
【発明の概要】
【発明が解決しようとする課題】
【００００３】  しかしながら、以上の技術によれば、利用者が行き先を設定しなければならず、また行き先のみの設定であるため旅行計画は自ら計画しなければならなかった。
そこで、この発明は、旅行の計画をする時間が無い人のためにニーズにあった旅行計画を素早く提案し、ナビゲーションを開始すること及び、どこに旅行したいかわからない人にすでに登録されている行き先情報を提案することを課題とする。
【課題を解決するための手段】
【００００４】  以上の課題を解決するために、第一発明は、データベースに登録された顧客の趣向に合う行き先のみを選び出し、旅行計画にして顧客に提案し、顧客が選択できるようにするアプリケーションである。
また、第二発明は、顧客が打ち込んだキーワードと関連のある行き先のみを、登録された行き先情報の中から選び出し、旅行計画にして顧客に提案し、顧客が選択できるようにするアプリケーションである。
また、第三発明は、顧客が選んだ行き先の系統に合う行き先のみを、登録された行き先情報の中から選び出し、旅行計画にして顧客に提案し、顧客が選択できるようにするアプリケーションである。
また、第四発明は、顧客が指定した範囲の交通手段及び人数、金額、宿泊日数にあてはまる行き先のみを、登録された行き先情報の中から選び出し、旅行計画にして顧客に提案し、顧客が選択できるようにするアプリケーションである。
また、第五発明は、顧客が選択した旅行計画のみをアプリケーション上でナビゲーションし、顧客が旅行計画を遂行できるようにするアプリケーションである。
【発明の効果】
【００００５】  第一発明によれば、顧客がアプリケーションによって提案された旅行計画を選択するだけなので、自ら旅行計画しなくて済む。
また、第二発明によれば、顧客の打ち込んだキーワードをもとに、アプリケーションが行き先情報より関連のある行き先を選択し複数の旅行計画を表示する、顧客は旅行計画を選択するだけとなるため自ら行き先を探さなくて済む。
また、第三発明によれば、顧客が選んだ行き先をもとに、アプリケーションが行き先情報より系統に合う他の行き先を選択し複数の旅行計画を表示する、顧客は旅行計画を選択するだけとなるため自ら他の行き先情報を探さなくて済む。
また、第四発明によれば、顧客が指定した範囲内の旅行計画を、アプリケーションが行き先情報より行き先を選択し複数の旅行計画を表示する、顧客は旅行計画を選択するだけとなるため自ら旅行計画しなくて済む。
また、第五発明によれば、顧客がアプリケーションで表示された旅行計画を選択し、ナビゲーションを開始することで、迷うことなく旅行計画を遂行できる。
【図面の簡単な説明】
【図１】この発明の一実施の形態の全体を示すフローチャートである。
【発明を実施するための形態】
【００００６】  この発明の一実施の形態を、図１に示す。
ナビゲーション機能を持つアプリケーションに、顧客が情報を入力し、旅行計画システムに搭載された人工知能が顧客の好み学習し、行き先データベースより顧客情報をもとに、顧客の趣向に合う旅行計画を複数提案する。
顧客は提案された旅行計画の中より、一つを選び確定する。
確定された旅行計画をアプリケーションがナビゲーションする。
【００００７】「実施形態の効果」
この実施形態によれば、人工知能に行き先情報の検索と決定及び旅行計画をさせることにより、本来顧客がしなければならない行き先情報の調査をする時間を短縮することができる。また、顧客が発見することが出来ないような行き先情報を人工知能が検索し、提案することが可能となるため、新たな経済効果も期待できる。
【図１】
2017162428.tif 000003
(57)【要約】【課題】無公害、安全聖火台。【解決手段】水蒸気の様な、不燃性の蒸気を出し、其れに、炎を模した照明をする。聖火台装置。【選択図】図１
2017162784.tif 000002
【特許請求の範囲】
【請求項１】
水蒸気、又は不燃性の蒸気を出し、其を照明する聖火台装置。
【発明の詳細な説明】
【技術分野】
【０００１】  本発明は、防火と、環境に有害なガスを発生させない事を目的とした、聖火台の装置に関する。
【背景技術】
【０００２】  従来の聖火台は、燃焼装置を使って居るので、延焼による火災の危険が有る。特に、木造スタジアム等では、大勢の観客が集まり、避難に時間が掛かり、火の回りの早くて危険で有り、焚火が禁止されて居る市街地で、近くの住宅にも危険で有る。更に環境に有害なガスも発生させて居た。従って、火焔の大きさにも自粛が求められて居た。
【発明の概要】
【発明が解決しようとする課題】
【０００３】  従来の聖火台は、燃焼装置を使って居るので、延焼による火災の危険が有り、環境に有害なガスも発生させて居た。
【課題を解決するための手段】
【０００４】  水蒸気の様な、不燃性の蒸気を出し、其れに、炎を模した照明をする。尚、炎が燃えて居る様に見せる為、蒸気の噴出孔の位置や角度を移動させたり、噴出量を変動させる場合も有る。照明は、炎の如く揺らいで見せる為、照度や角度を調節する場合も有り、レーザーの様に、光軸を振る場合も有る。【０００５】マラソンの優勝者のゴール・イン等、感激すべき瞬間には、特に蒸気を高く上げ、火焔を大きくして、未だ走行中の選手や、沿道の応援者に知らせる場合も有る。更にその際、従来の様に花火を上げると、風下には多量の燃えカスが落下したり、低い高度で誤って爆発する危険も有る為、レーザー光等の花火にする場合も有り、音は図示されないスピーカーから出す場合も有る。都会地では、近くや遠くのビル壁に反射させて残響を出させる場合も有り、花火が上がって行く「ひゅるひゅる音」を強調して流す場合も有る。【０００６】オリンピックの様な、伝統ある儀式に付いては、遠いギリシャから、旅客機に乗って、安全に輸送されて来た聖火の受け皿も必要で有る為、安全環境の完備した環境の中で、ミニチュアの聖火台に点火させ、ビデオに撮って、プロジェクターを使って、上記無公害、安全聖火台の側面や、エントランス・ホール等に拡大映写し、又テレビで放映するなどして、一般の観覧に供する場合も有る。
【発明の効果】
【０００７】  本発明の聖火台は延焼による火災の危険が無く、有害な燃焼ガスを出さないので、環境も汚染しない。
【図面の簡単な説明】
【０００８】
【図１】本発明の聖火台装置の実施形態に係る全体構成を示す図である。
【発明を実施するための形態】
【０００９】本発明の実施の形態を、図面に基づいて説明する。図１の１は聖火台の断面を示し、２は其の基盤部、３は、図示されて居ない蒸気発生器からのパイプ。４はジンバル。５は、管６をジンバルの周りに揺動させる、パワーシリンダーで、通常、直交して２本設けられる。
【００１０】７は蒸気を噴出させるノズルで、炎に似せた形状を成す様、穴の数や、形状や方向が調整され、更に全体を回転させたり、個々のノズルを図示されない弁で開閉させる場合も有る。８は、噴出した蒸気を、炎の如く見せる為の、主として赤色の照明灯で、炎の如く揺らいで見せる為、図示されない機構で、照度や角度を調節する場合も有り、レーザーの様に、光軸を振る場合も有る。本装置は、聖火台１の中に、複数配置される場合も有る。
【００１１】本例では、蒸気はジンバル４の中を通過する構造と成って居るが、図示されない蛇腹を介して、直接管６に供給する場合も有る。
【００１２】９は防火性の箱で、１０はミニチュア聖火台、１１は吸気管、１２は排気管で、何れも、耐火性能を持つ空調設備に繋がって居る。聖火ランナーは、階段１３を駆け昇って、耐火扉１４を開けて貰い、ミニチュア聖火台１０に点火すると、同時に、上記無公害、安全聖火台も起動する。その際、にミニチュア聖火台はビデオカメラ１５で撮影され、テレビには、両聖火台がダブって映ったり、フェード・イン、アウト等で映写される場合も有り、更にプロジェクター１５依り映像１６が投射されたりする場合も有る。更に、ミニチュア聖火台のビデオカメラには、その時の天候に合わせて、ミニチュア聖火台が屋外に聳え立つかの様な背景を写し込む場合も有る。
【符号の説明】
【００１３】１・・・聖火台  ４・・・ジンバル  ５・・・パワーシリンダー
６・・・  管  ７・・・ノズル  ８・・・照明  １０  ・・・  ミニチュア聖火台
【図１】
2017162784.tif 000003
(57)【要約】【課題】  プラグにジャバラのカバーや絶縁材料による電気プラグカバーを設けたものである。これらは合成ゴムや合成樹脂で加工されたものと思われる。つまり、万一発火した場合、燃える可能性のあるものであり、実用上問題である。【解決手段】  コンセントの少なくともプラグ差込口付近に設けるべく、耐炎繊維とアラミド繊維とからなる耐熱耐炎クロスであることを特徴とする【選択図】図１
2017162785.tif 000002
【特許請求の範囲】
【請求項１】
コンセントの少なくともプラグ差込口付近に設けるべく、耐炎繊維とアラミド繊維とからなる耐熱耐炎クロスであることを特徴とするコンセント用発火防止カバー。
【請求項２】
プラグの少なくとも先端面に設けるべく、耐炎繊維とアラミド繊維とからなる耐熱耐炎クロスであることを特徴とするプラグ用発火防止カバー。
【発明の詳細な説明】
【技術分野】
【０００１】  本発明は、主に家庭・事務所・工場等にあるコンセト並びにプラグに設けるコンセント用発火防止カバー並びにプラグ用発火防止カバーに関するものである。
【背景技術】
【０００２】  従来の技術としては、電力を供給するコンセント表面に差し込まれる端子刃を有する電源プラグにおいて、前記端子刃が突設されるプラグ面の一部を凹状に形成し、この凹状に形成されたプラグ面の一部にその一の端部を収納するとともに前記端子刃に沿って覆設されるジャバラ状のカバーを有し、このジャバラ状のカバーの他端部は前記コンセントに当接するようにコンセント表面と平行な面を有するように形成されたことを特徴とするトラッキング火炎防止電源プラグがある。（特許文献１参照）【０００３】  また、別の従来技術として、本体部、端子、コード補強部及び電源コードからなる電気プラグの端子部に、挿入する事が出来る本体部に電気プラグの接続されている機器の名称を記入する場所を設ける事を特徴とする電気プラグカバーがある。（特許文献２参照）【０００４】  さらに、別の従来技術として、壁埋め込み型の電気コンセントの差込口の上部２個を斜め下向きにし、差し込み口上部に１ｃｍ程度のひさしを備え、プラグが１ｃｍ程度斜め上向きに埋め込まれ接続する形を特徴とする。また、最下段の３個目に通常の差し込み口をもつものがある。（特許文献３参照）【０００５】  さらにまた、別の従来技術として、コンセント本体のプラグ差込口側に覆設された覆設板と、覆設板に切取り自在に形成されプラグ差込口が形成されたプラグ差込部に応じて切り取られて開口される乃至複数の桟状の切取り部とを備えた構成を有しているものがある。（特許文献４参照）
【先行技術文献】
【特許文献】
【０００６】
【特許文献１】特開２００３−１９７３０１号公報
【特許文献２】特開２００９−２１２０７０号公報
【特許文献３】特開２０１４−８２１７９号公報
【特許文献４】特開２０００−１００５１６号公報
【発明の概要】
【発明が解決しようとする課題】
【０００７】  上記特許文献１及び特許文献２はプラグにジャバラのカバーや絶縁材料による電気プラグカバーを設けたものである。これらは合成ゴムや合成樹脂で加工されたものと思われる。つまり、両出願共、万一発火した場合、燃える可能性のあるものであり、実用上問題である。【０００８】  また、上記特許文献３及び特許文献４は、コンセントの角度を変えたり、覆設板を設けたものであり、これもまた、万一発火した場合、燃える可能性があるものである。【０００９】  本発明は、このような従来の構成が有していた問題を解決しようとするもので、耐熱耐炎クロスをコンセントやプラグに使用することにより、万が一トラッキング現象が起こっても耐熱温度が１２００℃位であり、火災になることなく自動消火できるコンセント用発火防止カバー並びにプラグ用発火防止カバーを提供することを目的とする。
【課題を解決するための手段】
【００１０】  本発明は、上記目的を達成するために、コンセントの少なくともプラグ差込口付近に設けるべく、耐炎繊維とアラミド繊維とからなる耐熱耐炎クロスであること。プラグの少なくとも先端面に設けるべく、耐炎繊維とアラミド繊維とからなる耐熱耐炎クロスであることを特徴とする。
【発明の効果】
【００１１】１）コンセントの少なくともプラグ差込口に耐熱耐炎クロスを設けることにより、仮にト    ラッキング現象が起こったとしても発火することなく安全に使用できるものである。
２）プラグの少なくとも先端面に耐熱耐炎クロスを設けることにより、仮にトラッキング    現象が起こったとしても発火することなく安全に使用できるものである。
【図面の簡単な説明】
【００１２】
【図１】  本発明の一実施例を示すコンセント用発火防止カバーの正面図。
【図２】  本発明の一実施例を示すプラグ用発火防止カバーの平面図。
【図３】  本発明の一実施例を示すプラグ用発火防止カバーの側面図。
【発明を実施するための形態】
【００１３】  １は、耐炎繊維２（有機系繊維（ＰＡＮ系・レーヨン・ピッチ系等）を酸化性雰囲気中で熱処理して得られた繊維）とアラミド繊維３とからなる差込口４・４を穿設した四角形状の耐熱耐炎クロスによるコンセント用発火防止カバーで、耐炎繊維２が６０％で、アラミド繊維３を４０％とするのが望ましい。
基本的に耐熱温度が１２００℃で、溶接のスパッター等にも穴が開かないものであり、コンセントＫのプラグ差込口付近ＰＳに貼り付けて使用する。
【００１４】  つぎに、２１は前記と同様な素材（耐炎繊維２・アラミド繊維３）により形成されてなる耐熱耐炎クロスをプラグＰＧの先端部の周囲の設けてなるプラグ用発火防止カバーである。
なお、端子片Ｔを挿入する挿入孔２１ａ・２１ａを穿設してある。
【００１５】  基本的に、コンセント用発火防止カバー１とプラグ用発火防止カバー２１を両方同時に使用することが望ましく、両方を密着させることにより、より安全に使用できるものである。
また、耐熱耐炎クロスの厚みや大きさ、繊維比率等、必要に応じて決めればよく、コンセントやプラグへの取り付けも貼り付けや接着等、特に限定するものではない。
【産業上の利用の可能性】
【００１６】  コンセント（プラグ）による火災は一般家庭や事務所、工場等で多く発生しており、ニーズは多い。
また、日本国内のみならず、外国においても多く火災が発生しており、形態を変更すれば、すべてのコンセントやプラグに対応でき、産業上の利用性が高いものである。
【符号の説明】
【００１７】１−−−コンセント用発火防止カバー
２−−−耐炎繊維
３−−−アラミド繊維
４−−−差込口
Ｋ−−−コンセント
ＰＳ−−プラグ差込口付近
【図１】
2017162785.tif 000003
【図２】
2017162785.tif 000004
【図３】
2017162785.tif 000005
(57)【要約】【課題】簡易的なフィールドプレート構造でＭＯＳの耐圧を向上させ、外部の電圧変動に対して、電流変化が少なく、信頼性の高い半導体装置を提供する。【解決手段】一方の端部をドレイン電位で接続し、他方の端部をソース電位で接続したポリシリコンで形成されたフィールドプレートを有し、前記フィールドプレートの構造が、前記ドレイン電位接続側から前記ソース電位接続側の区間で交互にＰ型層、Ｎ型層を繰り返す構造を有し、Ｐ型層の濃度はＮ型層の濃度より低い。このようにＰ型層の不純物濃度をＮ型層より低くすることで、  空乏層は主にＰ型層に広がる。Ｐ層における多数キャリアはホールである。従って外部電圧の急激な変化に、電子よりそのフィードバック速度が遅くなり、電流の変動が小さくなる。【選択図】図４
2017162869.tif 000002
【特許請求の範囲】
【請求項１】
一方の端部をドレイン電位で接続し、他方の端部をソース電位で接続したポリシリコンで形成されたフィールドプレートを有し、前記フィールドプレートの構造が、前記ドレイン電位接続側から前記ソース電位接続側の区間で交互にＰ型層、Ｎ型層を繰り返す構造を有し、前記Ｐ型層の不純物濃度が、前記Ｎ型層の不純物濃度より低いことを特徴とする半導体装置。
【請求項２】
前記Ｎ型層の不純物濃度をｎ、前記Ｐ型層の不純物濃度をｐとした場合、
ｎ／Ｐが、１００００≧ｎ／ｐ≧１０  の関係にあることを特徴とする請求項１に記載の半導体装置。
【請求項３】
前記Ｐ型層の幅をａ，  前記Ｎ型層の幅をｂとした場合、ａ≧ｂの関係にあることを特徴とする請求項１、または請求項２に記載の半導体装置。
【請求項４】
前記Ｐ型層の幅をａ，  前記Ｎ型層の幅をｂとした場合、ａ／ｂ≧１．２の関係にあることを特徴とする請求項１、または請求項２、または請求項３に記載の半導体装置。
【発明の詳細な説明】
【技術分野】
【０００１】
本発明は構造が簡易で、低コストで高耐圧化が図れ、外部の電圧変動に対して電流変化が少なく、信頼性の高い半導体装置に関する。
【背景技術】
【０００２】
パワーＭＯＳＦＥＴに関してはスイッチング時間短縮と共に、高耐圧化が求められ、多様なフィールドプレート構造が採用されている。
【先行技術文献】
【特許文献】
【０００３】
【特許文献１】特開２００１−４４４３１号公報
【発明の概要】
【発明が解決しようとする課題】
【０００４】
しかしながらフィールドプレートによって高耐圧化を図ろうとすると、フィールドプレートを二段にするなど構造が複雑になり、高コスト化するという問題があった。また、従来のフィールドプレートは外部の電圧変化に対して、電流変化が大きくこれによって局所的な発熱が生じ、素子が破壊するなど信頼性が得られないという問題があった。
【０００５】
本発明は、上記問題点を解決し、構造が簡易で低コストで耐圧向上が図れ、信頼性の高いＭＯＳの構造を提案することを目的とする。
【課題を解決するための手段】
【０００６】
外周部に形成され、一方の端部をドレイン電位で接続し、他方の端部をソース電位で接続したポリシリコンで形成されたフィールドプレートを有し、
フィールドプレートは、前記ドレイン電位接続側から前記ソース電位接続側の区間において、Ｐ型拡散層とＮ型拡散層が交互に続く構造を有する。Ｐ型拡散層の濃度はＮ型拡散層の濃度より低い。
【発明の効果】
【０００７】
本発明によれば、簡易な構造で素子の高耐圧化が図れる、外部の電圧変動に対して電流変化が少なく、信頼性を確保できる。
【図面の簡単な説明】
【０００８】
【図１】従来のＭＯＳのフィールドプレート断面構造である（チップ中心部を含む）。
【図２】従来のＭＯＳのフィールドプレート断面構造である。
【図３】本発明のＭＯＳのフィールドプレート断面構造である（チップ中心部を含む。
【図４】本発明のＭＯＳのフィールドプレート断面構造である。
【発明を実施するための形態】
【０００９】
以下、本発明の実施の形態となる構造について説明する。
【実施例１】
【００１０】
図１、図２に示すように従来構造のフィールドプレート１４は、絶縁膜９内部に形成され、一端がドレイン電位、もう一端がソース電位で接続されている。フィールドプレートは、例えば厚さ０．２μｍから２０．５μｍの厚みからなる高抵抗のポリシリコンで形成されている。高抵抗ポリシリコンの両エッジ部はデバイスのドレインとソースと同じ電位になっているため逆バイアスが印加された時、逆バイアス電圧が一様に高抵抗ポリシリコン層に分布する。そのため高抵抗ポリシリコン層下のリサーフ層の表面電位も均一に分布し、これによってリサーフ空乏層をより外側に伸ばすことができる。しかしこの構造では図２のように空乏層がＰ−リサーフ拡散層４の角部で伸びにくくなり、この部分で耐圧が低くなるという問題があった。
本発明の構造を図３、図４に示す。本発明の構造では、一方の端部をドレイン電位で接続し、他方の端部をソース電位で接続したポリシリコンから形成されたフィールドプレートを有し、フィールドプレートの構造が、前記ドレイン電位接続側と前記ソース電位接続側の区間においてＰ型層とＮ型層が交互に繰り返す構造を有している。このような構造にすることでＰＮ接合に逆バイアスが印加された場合、ＰＮ接合に空乏層が広がり、ポリシリコンに容量接合が形成されるので、Ｐ−層（リサーフ）の角部の空乏層の幅を一層広げることができ、耐圧を高くすることが可能になる。
本発明では、Ｐ型層の不純物濃度がＮ型層の不純物濃度より低い。数値的にはＮ型層の不純物濃度をｎ、Ｐ型層の不純物濃度をｐとした場合、ｎ／ｐが、１００００≧ｎ／ｐ≧１０  の関係にあることが望ましい。このようにＰ型層の不純物濃度をＮ型層より低くすることで、  空乏層は主にＰ型層に広がる。Ｐ層における多数キャリアはホールである。従って外部電圧の急激な変化に、電子よりそのフィードバック速度が遅くなり、電流の変動が小さくなる。従来のフィールドプレートは外部の電圧変化に対して、電流変化が大きくこれによって局所的な発熱が生じ、素子が破壊することがあり、信頼性が得られないという問題があった。このようにフィールドプレートのＰ型層の濃度をＮ型層の濃度より低くすることで、耐圧が高く、外部電圧の急激な変化に対して電流変化が小さく、信頼性の高い半導体装置を得ることができる。
また、Ｐ型層の幅ａは、Ｎ型層の幅ｂよりも広く、ａ／ｂ≧１．２の関係にあることが、空乏層を安定してＰ側に延ばすのに好ましい。
【符号の説明】
【００１１】
１、ドレイン拡散層（Ｎ＋）
２、Ｎ−層
３、Ｐ層（ベース）
４、Ｐ−層（リサーフ）
５、Ｎ＋層
６、フィールドプレート（Ｎ層）
７、電極（フィールドプレートをドレイン電位に接続）
８、電極  （フィールドプレートをソース電位に接続）
９、絶縁膜
１０、ソース拡散層（Ｎ＋層）
１１、トレンチゲート電極 
１２、フィールドプレート（Ｐ層）
１３、空乏層 
１４、フィールドプレート
１５、ソース電極
１６、ドレイン電極 
【図１】
2017162869.tif 000003
【図２】
2017162869.tif 000004
【図３】
2017162869.tif 000005
【図４】
2017162869.tif 000006
(57)【要約】      （修正有）【課題】ボールの下部に凸部、その下部凸部から、ボールのふちに線状凸部を設けて、箸、スプーン、ヘラなどでかき回すことで、具材がその凸部にひっかかりながらまわり、よういに具材をまぜること、とかすことができる、具材を他器に移すときその凸物のみぞにそって、流れやすくなる調理器を提供する。【解決手段】ボールなどの調理器１の内部に、丸み部分２を設ける。下にある丸み部分２より上のふちにむかって線状凸部３を設け、線状凸部３はダルマ形状とし、数個設ける。【選択図】図１
2017205475.tif 000002
【特許請求の範囲】
【請求項１】
ボールなどの調理器の内部に丸みをおびた凸部を下部に設ける、凸物の上に、ふちにつながる線状凸部を設ける。
【請求項２】
その凸物、ボールのふちから下に向って太くなる
2017205475.tif 000006
【請求項３】
2017205475.tif 000007
【発明の詳細な説明】
【技術分野】
【０００１】  本発明は、調理する具材をまぜあわせるとき、とかすとき、箸、スプーン、ヘラ、でかきまわして具材をまぜあわせる、とかすことができる、具材を移すとき、具材の流れをつくり移しやすくする調理器に関するものである。
【背景技術】
【０００２】  従来は具材をボールに入れ、箸、スプーン、ヘラ、手でまわして、こねて調理具材を調理している。
具材を他器に移すとき、箸、スプーン、で具材が広がらないようにうつしている。
【発明の開示】
【発明が解決しようとする課題】
【０００３】  調理する具材をまぜあわせるとき、箸、スプーン  ヘラ、手でかき回すが、具材が回ってしまい、よくまざらない。
ボール内の凸物でよくまざるように、とけやすいようにする。
手でまぜるときは、具材の油が手につき洗うことが必要である、手につかないように手袋を使用することがあるが何かしっくりしない。箸、スプーン、ヘラなどで回して、かきまぜることで、よういにまざり、よういにとける、調理できる。
又他器へ移すとき具材がボールのふちに広がらないように流れをつくり、うつしかえやすい、調理できる調理ボールである。
【課題を解決するための手段】
【０００４】  ボールの中に凸物のふくらみのあるものを、下部に設ける、その上にボールのふちに向って線状凸部を
2017205475.tif 000003
１個、複数設ける。
本発明は以上の構成によりなる調理器である。
【発明の効果】
【０００５】
2017205475.tif 000004
箸、スプーン、ヘラ、でかんたんに具材をまぜあわすことができる。とかすことができる。
手をつかうときは、具材により、手が冷たい、油がつく、洗うなどの手間がなくなり、楽になる。
具材を他器に移すとき、その凸物のみぞで、流れやすくなり、箸とかスプーンで具材の広がりを細くしなくてもうつしやくなる。
具材をスライス具でスライスするときに下部の凸物の下にスライス具下部があたり、すべりずらくなり楽にスライスすることができる。
【発明を実施するための最良の形態】
【０００６】  以下、本発明の実施の形態を説明する。
（イ）金属、ガラス、プラ、陶器、木などの調理器（１）に丸み部分（２）、線状凸部（３）、を設ける。
（ロ）調理器（１）の中に丸み部分（２）と線状凸部（３）で
2017205475.tif 000005
本発明は以上の構成によりなる。
【図面の簡単な説明】
【０００７】
【図１】  本発明ボールの横視図
【図２】  本発明ボールの上視図
【符号の説明】
【０００８】（１）調理器、（２）丸み部分、（３）線状凸部、
【図１】
2017205475.tif 000008
【図２】
2017205475.tif 000009